(57)【要約】 【課題】大型化せずに強度を確保でき、可動レールの当りによるモーメントを小さくできてめくれ難くなり、そして、溶接タクトを短くして溶接を短時間で容易に可能にする。 【解決手段】レール・エンド・ストッパー１５が、ワイヤーを断面略長円形に潰してその潰されたワイヤー１６の両側面１７、１８を細長い平面１９、２０に形成し、その細長い平面１９、２０に直交してその潰されたワイヤー１６をストッパー２１および両アーム２２、２２に直角に曲げてＵ字形に成形し、そして、固定レール１１の後端１３をまたぐ状態でその固定レール１１のその後端１３から後方にそのストッパー２１を適宜に離してその固定レール１１のその後端１３に位置決めされ、その両アーム２２、２２において内側になるその細長い平面１９をその固定レール１１の両側面１４、１４に合わせてその両アーム２２、２２でその固定レール１１のその両側面１４、１４に溶接され、そして、そのストッパー２１において内側になるその細長い平面１９をレール当り面２３に活用する。【選択図】図２
2005289079.tif 000002
【特許請求の範囲】
【請求項１】
レール・エンド・ストッパーが、ワイヤーを断面略長円形に潰してその潰されたワイヤーの両側面を細長い平面に形成し、その細長い平面に直交してその潰されたワイヤーをストッパーおよび両アームに直角に曲げてＵ字形に成形し、そして、固定レールの後端をまたぐ状態でその固定レールのその後端から後方にそのストッパーを適宜に離してその固定レールのその後端に位置決めされ、その両アームにおいて内側になるその細長い平面をその固定レールの両側面に合わせてその両アームでその固定レールのその両側面に溶接され、そして、そのストッパーにおいて内側になるその細長い平面をレール当り面に活用するところのロング・レール型シート・トラック。 
【請求項２】
レール・エンド・ストッパーが、ワイヤーからストッパーおよび両アームに直角に曲げられてＵ字形に成形され、潰しによってその両アームの先端部分を断面略長円形ハンドに成形し、そして、固定レールの後端をまたぐ状態でその固定レールのその後端から後方にそのストッパーを適宜に離してその固定レールのその後端に位置決めされ、そして、その両アームのそのハンドでその固定レールの両側面に溶接されるところのロング・レール型シート・トラック。 
【発明の詳細な説明】
【技術分野】
【０００１】
この発明は、自動車シートに組み込まれるロング・レール型シート・トラックに関する。 
【背景技術】
【０００２】
通常、自動車のリア・シートがロングレール型シート・トラックを組み込む場合、レイアウト上フロアにスペースの余裕がないときには、そのシート・トラックでは可動レールを止めるレール・エンド・ストッパーが固定レールの後端に溶接される。 
そのレール・エンド・ストッパーは、細長い板金片をＵ字形に直角に曲げられてその固定レールの後端に溶接されるので、その可動レールがそのレール・エンド・ストッパーに当ると、モーメントがそのレール・エンド・ストッパーに発生されてそのレール・エンドストッパーはめくる不具合があった。 
それで、そのレール・エンド・ストッパーは強度確保上、板厚の厚い、そして、板幅の広い板金片が用いられるのであるが、そうすると、そのレール・エンド・ストッパーでは溶接タクトが長くなり、そして、その溶接時間が長くなるに加えて、そのシート・トラックはその固定レールにラバー・リップを付けてゴミの入り込みを防止するので、そのレール・エンド・ストッパーの溶接の際、そのラバー・リップに焦げが発生して外観が影響される。 
【発明の開示】
【発明が解決しようとする課題】
【０００３】
この発明の課題は、大型化せずに強度を確保でき、可動レールの当りによるモーメントを小さくできてめくれ難くなり、そして、溶接タクトを短かくして溶接を短時間で容易に可能にするところのロング・レール型シート・トラックの提供にある。 
【課題を解決するための手段】
【０００４】
この発明は、レール・エンド・ストッパーが、ワイヤーを断面略長円形に潰してその潰されたワイヤーの両側面を細長い平面に形成し、その細長い平面に直交してその潰されたワイヤーをストッパーおよび両アームに直角に曲げてＵ字形に成形し、そして、固定レールの後端をまたぐ状態でその固定レールのその後端から後方にそのストッパーを適宜に離してその固定レールのその後端に位置決めされ、その両アームにおいて内側になるその細長い平面をその固定レールの両側面に合わせてその両アームでその固定レールのその両側面に溶接され、そして、そのストッパーにおいて内側になるその細長い平面をレール当り面に活用する。 
【発明の効果】
【０００５】
この発明では、大型化が避けられて強度が確保され、可動レールの当りによるモーメントが小さくできてめくれ難くなり、そして、溶接タクトが短くなって溶接が容易で短時間に可動になり、さらには、その溶接の際、固定レールのラバー・リップが焦げずに外観が確保される。 
【発明を実施するための最良の形態】
【０００６】
そのレール・エンド・ワイヤーが、所定の外径および長さのスチール・ワイヤーを断面略長円形に潰してその潰されたワイヤーの両側面を細長い平面に形成し、その細長い平面に直交してその潰されたワイヤーをストッパーおよび両アームに直角に曲げてＵ字形に成形し、そして、そのストッパーでは、内側になるその細長い平面を可動レールのレール当り面に活用し、また、その両アームでは、その細長い平面をその固定レールに両側面に面合わせさせて溶接を容易にする。 
【実施例１】
【０００７】
以下、特定されて図示された具体例に基づいて、この発明のロング・レール型シート・トラックを説明するに、図１ないし図３は、小型ワゴンのリア・シート（図示せず）に活用されるところのこの発明のロング・レール型シート・トラックの具体例１０を部分的に示し、そして、そのロング・レール型シート・トラック１０は、スライド機構およびロック機構で組み立てられ、そして、そのスライド機構では、左右の長い固定レール１１、１１が、フロント・フロア・ブラケット（図示せず）およびリア・フロア・ブラケット２４、２４でその小型ワゴンのフロア３０に据え付けられ、また、左右の可動レール１２、１２が、その対応する左右の長い固定レール１１、１１に往復移動可能にはめ合わせられ、そして、その左右の長い固定レール１１、１１に適宜に移動された位置においてそのロック機構でその長い固定レール１１、１１にロックされる。さらに、その小型ワゴンには、フロア・スペースに余裕がないので、このロング・レール型シート・トラック１０では、レール・エンド・ストッパー１５、１５が、その長い固定レール１１、１１の後端１３、１３に溶接されてその可動レール１２、１２を止め可能にしている。 
【０００８】
そのレール・エンド・ストッパー１５は、所定の外径の長いスチール・ワイヤーから所定の長さに切断されたワイヤーを用い、そのワイヤーを断面略長円形に潰してその潰されたワイヤー１６の両側面１７、１８を細長い平面１９、２０に形成し、その細長い平面１９、２０に直交してその潰されたワイヤー１６をストッパー２１および両アーム２２、２２に直角に曲げてＵ字形に成形し、そして、その長い固定レール１１の後端１３をまたぐ状態でその長い固定レール１１のその後端１３から後方にそのストッパー２１を適宜に離してその長い固定レール１１のその後端１３に位置決めされ、その両アーム２２、２２において内側になるその細長い平面１９をその長い固定レール１１の両側面１４、１４に合わせて両アーム２２、２２でその長い固定レールのその両側面１４、１４に溶接され、そして、そのストッパー２１において内側になるその細長い平面１９をレール当り面２３に活用する。 
【０００９】
そのレール・エンド・ストッパー１５は、その長い固定レール１１のラバー・リップ（図示せず）から遠い側になるその両アーム２２、２２の下側でその長い固定レール１１のその両側面１４、１４に溶接される。このレール・エンド・ストッパー１５では、溶接が簡単で容易になり、そのラバー・リップが焦げずにその長い固定レール１１に外観が保たれる。また、このレール・エンド・ストッパー１５は、スチール・ワイヤーが断面略長円形に潰して用いられるので、平鋼板を用いる従来のレール・エンド・ストッパーに比べて厚さ寸法が大きくできて著しく強化され、さらに、幅寸法も狭くでき、その可動レール１２の当りによって生じるモーメントが小さくそのストッパー２１にほぼ直線的に荷重がかかってめくれ難くなり、その溶接が安定されて溶接タクトが短くでき、溶接が短時間に可能になり、そして、溶接性能および強度性能が向上される。 
【実施例２】
【００１０】
図４ないし図６は、小型ワゴンのリア・シート（図示せず）に活用されるところのこの発明のロング・レール型シート・トラックの具体例４０を部分的に示し、そして、そのロング・レール型シート・トラック４０は、スライド機構およびロック機構で組み立てられ、そして、そのスライド機構では、左右の長い固定レール１１、１１が、フロント・フロア・ブラケット（図示せず）およびリア・フロア・ブラケット２４、２４でその小型ワゴンのフロア３０に据え付けられ、また、左右の可動レール１２、１２が、その対応する左右の長い固定レール１１、１１に往復移動可能にはめ合わせられ、そして、その左右の長い固定レール１１、１１に適宜に移動された位置においてそのロック機構でその長い固定レール１１、１１にロックされる。さらに、その小型ワゴンには、フロア・スペースに余裕がないので、このロング・レール型シート・トラック１０では、レール・エンド・ストッパー１５、１５が、その長い固定レール１１、１１の後端１３、１３に溶接されてその可動レール１２、１２を止め可能にしている。 
【００１１】
そのレール・エンド・ストッパー４１は、所定の外径の長いスチール・ワイヤーから所定の長さに切断されたワイヤーを用いる。そして、このレール・エンド・ストッパー４１は、そのワイヤーからストッパー４２および両アーム４３、４３に直角に曲げられてＵ字形に成形され、潰しによってその両アーム４３、４３の先端部分を断面略長円形ハンド４４、４４に成形し、そして、その長い固定レール１１の後端１３をまたぐ状態でその長い固定レール１１の後端１３から後方にそのストッパー４２を適宜に離してその長い固定レール１１のその後端１３に位置決めされ、そして、その両アーム４３、４３のそのハンド４４、４４でその長い固定レール１１の両側面１４、１４に溶接される。 
【００１２】
そのレール・エンド・ストッパー４１は、その長い固定レール１１のラバー・リップ（図示せず）から遠い側になるその両アーム４３、４３のそのハンド４４、４４の下側でその長い固定レール１１のその両側面１４、１４に溶接される。このレール・エンド・ストッパー４１は、その前述されたレール・エンド・ストッパー１５に比べてその可動レール１２の当りによって生じるモーメントがさらに小さくなってめくれ難くなる。 
【００１３】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１４】
上述から理解されるように、この発明のロング・レール型シート・トラックは、レール・エンド・ストッパーが、ワイヤーを断面略長円形に潰してその潰されたワイヤーの両側面を細長い平面に形成し、その細長い平面に直交してその潰されたワイヤーをストッパーおよび両アームに直角に曲げてＵ字形に成形し、そして、固定レールの後端をまたぐ状態でその固定レールのその後端から後方にそのストッパーを適宜に離してその固定レールのその後端に位置決めされ、その両アームにおいて内側になるその細長い平面をその固定レールの両側面に合わせてその両アームでその固定レールのその両側面に溶接され、そして、そのストッパーにおいて内側になるその細長い平面をレール当り面に活用するので、この発明のロング・レール型シート・トラックでは、大型化が避けされ、厚さ寸法が大きくできて著しく強化され、強度が確保され、可動レールの当りによるモーメントが小さくでき、溶接が安定されてめくれ難くなり、そして、溶接タクトが短くなって溶接が容易で短時間に可能になり、そのように溶接性能および強度性能が向上され、さらには、その溶接の際、その固定リップのラバー・リップが焦げずに外観が確保され、その結果、自動車シートにとって非常に有用で実用的である。 
【図面の簡単な説明】
【００１５】
【図１】小型ワゴンのリア・シートに活用されるところのこの発明のロング・レール型シート・トラックの具体例を部分的に示した部分側面図である。
【図２】そのロング・レール型シート・トラックを部分的に示した部分斜視図である。
【図３】図２の３−３線に沿って示した断面図である。
【図４】小型ワゴンのリア・シートに活用されるところのこの発明のロング・レール型シート・トラックの具体例を部分的に示した部分側面図である。
【図５】そのロング・レール型シート・トラックを部分的に示した部分斜視図である。
【図６】図５の６−６線に沿って示した断面図である。
【符号の説明】
【００１６】
１０  ロング・レール型シート・トラック 
１１  長い固定レール 
１２  可動レール 
１３  後端 
１４  側面 
１５  レール・エンド・ストッパー 
１６  潰されたワイヤー 
１７  側面 
１８  側面 
１９  細長い平面 
２０  細長い平面 
２１  ストッパー 
２２  アーム 
２３  レール当り面 
４０  ロング・レール型シート・トラック 
４１  レール・エンド・ストッパー 
４２  ストッパー 
４３  アーム 
４４  断面略長円形ハンド 
【図１】
2005289079.tif 000003
【図２】
2005289079.tif 000004
【図３】
2005289079.tif 000005
【図４】
2005289079.tif 000006
【図５】
2005289079.tif 000007
【図６】
2005289079.tif 000008